(57)【特許請求の範囲】
【請求項１】
上面に取出口を有し、内側に家庭用薄葉紙を収納するケース体と、
前記取出口を開閉させる蓋体と、を備える家庭用薄葉紙収納容器において、
前記取出口は、平面視にて前記蓋体の開放状態時における当該家庭用薄葉紙収納容器自体の重心からずれた位置に設けられ、
当該家庭用薄葉紙収納容器のうち前記取出口の中心よりも前記重心側の部分の荷重をＡ、当該取出口の中心よりも前記重心とは反対側の部分の荷重をＢ、前記取出口から取り出す家庭用薄葉紙の前記重心側に付与される抵抗力をａ、当該家庭用薄葉紙の前記重心とは反対側に付与される抵抗力をｂとした場合、下記の（１）〜（３）の全てを満たすように構成され、
（１）Ａ＞Ｂ、
（２）ａ＜Ａ及びｂ＜Ｂ、
（３）ａ＞ｂ
前記取出口の周縁部に装着された枠部材を備え、
前記枠部材によって、前記取出口から取り出す家庭用薄葉紙の前記重心側に、当該家庭用薄葉紙の前記重心とは反対側よりも大きな抵抗を付与し、
前記枠部材の下端部の前記重心とは反対側には、前記取出口から取り出す家庭用薄葉紙の前記重心とは反対側に付与する抵抗を減少させるための切欠部が設けられていることを特徴とする家庭用薄葉紙収納容器。
【請求項２】
上面に取出口を有し、内側に家庭用薄葉紙を収納するケース体と、
前記取出口を開閉させる蓋体と、を備える家庭用薄葉紙収納容器において、
前記取出口は、平面視にて前記蓋体の開放状態時における当該家庭用薄葉紙収納容器自体の重心からずれた位置に設けられ、
当該家庭用薄葉紙収納容器のうち前記取出口の中心よりも前記重心側の部分の荷重をＡ、当該取出口の中心よりも前記重心とは反対側の部分の荷重をＢ、前記取出口から取り出す家庭用薄葉紙の前記重心側に付与される抵抗力をａ、当該家庭用薄葉紙の前記重心とは反対側に付与される抵抗力をｂとした場合、下記の（１）〜（３）の全てを満たすように構成され、
（１）Ａ＞Ｂ、
（２）ａ＜Ａ及びｂ＜Ｂ、
（３）ａ＞ｂ
前記取出口の周縁部に装着された枠部材を備え、
前記枠部材によって、前記取出口から取り出す家庭用薄葉紙の前記重心側に、当該家庭用薄葉紙の前記重心とは反対側よりも大きな抵抗を付与し、
前記枠部材の下端部の前記重心側には、前記取出口から取り出す家庭用薄葉紙の前記重心側に付与する抵抗を増加させるための複数の角部又は複数のスリットが所定間隔を有して設けられていることを特徴とする家庭用薄葉紙収納容器。
【請求項３】
上面に取出口を有し、内側に家庭用薄葉紙を収納するケース体と、
前記取出口を開閉させる蓋体と、を備える家庭用薄葉紙収納容器において、
前記取出口は、平面視にて前記蓋体の開放状態時における当該家庭用薄葉紙収納容器自体の重心からずれた位置に設けられ、
当該家庭用薄葉紙収納容器のうち前記取出口の中心よりも前記重心側の部分の荷重をＡ、当該取出口の中心よりも前記重心とは反対側の部分の荷重をＢ、前記取出口から取り出す家庭用薄葉紙の前記重心側に付与される抵抗力をａ、当該家庭用薄葉紙の前記重心とは反対側に付与される抵抗力をｂとした場合、下記の（１）〜（３）の全てを満たすように構成され、
（１）Ａ＞Ｂ、
（２）ａ＜Ａ及びｂ＜Ｂ、
（３）ａ＞ｂ
前記取出口の周縁部に装着された枠部材を備え、
前記枠部材によって、前記取出口から取り出す家庭用薄葉紙の前記重心側に、当該家庭用薄葉紙の前記重心とは反対側よりも大きな抵抗を付与し、
前記枠部材の下端部表面の材質は、前記重心側の方が前記重心とは反対側よりも前記家庭用薄葉紙に対する摩擦抵抗が高いことを特徴とする家庭用薄葉紙収納容器。
【請求項４】
上面に取出口を有し、内側に家庭用薄葉紙を収納するケース体と、
前記取出口を開閉させる蓋体と、を備える家庭用薄葉紙収納容器において、
前記取出口は、平面視にて前記蓋体の開放状態時における当該家庭用薄葉紙収納容器自体の重心からずれた位置に設けられ、
当該家庭用薄葉紙収納容器のうち前記取出口の中心よりも前記重心側の部分の荷重をＡ、当該取出口の中心よりも前記重心とは反対側の部分の荷重をＢ、前記取出口から取り出す家庭用薄葉紙の前記重心側に付与される抵抗力をａ、当該家庭用薄葉紙の前記重心とは反対側に付与される抵抗力をｂとした場合、下記の（１）〜（３）の全てを満たすように構成され、
（１）Ａ＞Ｂ、
（２）ａ＜Ａ及びｂ＜Ｂ、
（３）ａ＞ｂ
前記家庭用薄葉紙は、当該家庭用薄葉紙を取り出すための開口が設けられた包装体によって内包されており、
前記取出口を、平面視にて前記開口とずらすとともに、前記取出口の中心を、平面視にて前記開口の中心よりも前記重心とは反対側にずらすことによって、前記取出口から取り出す家庭用薄葉紙の前記重心側に、当該家庭用薄葉紙の前記重心とは反対側よりも大きな抵抗を付与することを特徴とする家庭用薄葉紙収納容器。
【請求項５】
前記枠部材の前記重心側には、前記取出口から取り出す家庭用薄葉紙の前記重心側に付与する抵抗を増加させるために、前記取出口を塞ぐ方向側に向けて延出する延出部が設けられていることを特徴とする請求項１から４の何れか一項に記載の家庭用薄葉紙収納容器。
【請求項６】
前記ケース体は、当該ケース体の内面から突出する突起部を有し、
前記突起部によって、前記取出口から取り出す家庭用薄葉紙の前記重心側に、当該家庭用薄葉紙の前記重心とは反対側よりも大きな抵抗を付与することを特徴とする請求項１から５の何れか一項に記載の家庭用薄葉紙収納容器。
【請求項７】
前記蓋体は、前記ケース体に対して前記重心側にスライド移動することで前記取出口を開閉させることを特徴とする請求項１から６の何れか一項に記載の家庭用薄葉紙収納容器。
【発明の詳細な説明】
【技術分野】
【０００１】
本発明は、家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
このような家庭用薄葉紙収納容器においては、家庭用薄葉紙を収納するためのケース体の上面に、その開放端を上下方向に回動させることで開閉を行う蓋体を設けた構成が一般的である（例えば、特許文献１参照）。しかしながら、この構成の場合、蓋体を開くと当該蓋体が起立した状態になるため、蓋体を開ける際に高さが必要となり、狭いスペースでは使いづらいという問題があった。また、この構成の場合、蓋体を開くと当該蓋体が起立した状態になるため、蓋体が邪魔になって蓋体の後ろ側からは家庭用薄葉紙が取り出しづらいという問題があった。
これに対し、スライド移動することで開閉を行う蓋体を設けた構成（例えば、特許文献２、３参照）とすれば、蓋体が開いても蓋体が起立した状態にならないため、狭いスペースでも使いやすく、蓋体が邪魔にならず家庭用薄葉紙を全方向から取り出すことができる。
【先行技術文献】
【特許文献】
【０００３】
【特許文献１】実用新案登録第３０６０２５８号公報
【特許文献２】特許第３３１８１６６号公報
【特許文献３】特許第３３２２８０５号公報
【発明の概要】
【発明が解決しようとする課題】
【０００４】
しかしながら、特許文献１記載の構成の場合も、特許文献２、３記載の構成の場合も、家庭用薄葉紙収納容器から家庭用薄葉紙を取り出す際に、当該容器が持ち上がってしまうことがある。そのため、例えば、一方の手で容器を押さえながら、もう一方の手で家庭用薄葉紙を取り出さなければならないといった使いづらさがある。
【０００５】
本発明の課題は、家庭用薄葉紙を取り出す際の持ち上がりが抑制された家庭用薄葉紙収納容器を提供することである。
【課題を解決するための手段】
【０００６】
上記課題を解決するために、請求項１に記載の発明は、
上面に取出口を有し、内側に家庭用薄葉紙を収納するケース体と、
前記取出口を開閉させる蓋体と、を備える家庭用薄葉紙収納容器において、
前記取出口は、平面視にて前記蓋体の開放状態時における当該家庭用薄葉紙収納容器自体の重心からずれた位置に設けられ、
当該家庭用薄葉紙収納容器のうち前記取出口の中心よりも前記重心側の部分の荷重をＡ、当該取出口の中心よりも前記重心とは反対側の部分の荷重をＢ、前記取出口から取り出す家庭用薄葉紙の前記重心側に付与される抵抗力をａ、当該家庭用薄葉紙の前記重心とは反対側に付与される抵抗力をｂとした場合、下記の（１）〜（３）の全てを満たすように構成され、
（１）Ａ＞Ｂ、
（２）ａ＜Ａ及びｂ＜Ｂ、
（３）ａ＞ｂ
前記取出口の周縁部に装着された枠部材を備え、
前記枠部材によって、前記取出口から取り出す家庭用薄葉紙の前記重心側に、当該家庭用薄葉紙の前記重心とは反対側よりも大きな抵抗を付与し、
前記枠部材の下端部の前記重心とは反対側には、前記取出口から取り出す家庭用薄葉紙の前記重心とは反対側に付与する抵抗を減少させるための切欠部が設けられていることを特徴とする。
【０００７】
請求項２に記載の発明は、上面に取出口を有し、内側に家庭用薄葉紙を収納するケース体と、前記取出口を開閉させる蓋体と、を備える家庭用薄葉紙収納容器において、
前記取出口は、平面視にて前記蓋体の開放状態時における当該家庭用薄葉紙収納容器自体の重心からずれた位置に設けられ、
当該家庭用薄葉紙収納容器のうち前記取出口の中心よりも前記重心側の部分の荷重をＡ、当該取出口の中心よりも前記重心とは反対側の部分の荷重をＢ、前記取出口から取り出す家庭用薄葉紙の前記重心側に付与される抵抗力をａ、当該家庭用薄葉紙の前記重心とは反対側に付与される抵抗力をｂとした場合、下記の（１）〜（３）の全てを満たすように構成され、
（１）Ａ＞Ｂ、
（２）ａ＜Ａ及びｂ＜Ｂ、
（３）ａ＞ｂ
前記取出口の周縁部に装着された枠部材を備え、
前記枠部材によって、前記取出口から取り出す家庭用薄葉紙の前記重心側に、当該家庭用薄葉紙の前記重心とは反対側よりも大きな抵抗を付与し、
前記枠部材の下端部の前記重心側には、前記取出口から取り出す家庭用薄葉紙の前記重心側に付与する抵抗を増加させるための複数の角部又は複数のスリットが所定間隔を有して設けられていることを特徴とする。
【０００８】
請求項３に記載の発明は、上面に取出口を有し、内側に家庭用薄葉紙を収納するケース体と、前記取出口を開閉させる蓋体と、を備える家庭用薄葉紙収納容器において、
前記取出口は、平面視にて前記蓋体の開放状態時における当該家庭用薄葉紙収納容器自体の重心からずれた位置に設けられ、
当該家庭用薄葉紙収納容器のうち前記取出口の中心よりも前記重心側の部分の荷重をＡ、当該取出口の中心よりも前記重心とは反対側の部分の荷重をＢ、前記取出口から取り出す家庭用薄葉紙の前記重心側に付与される抵抗力をａ、当該家庭用薄葉紙の前記重心とは反対側に付与される抵抗力をｂとした場合、下記の（１）〜（３）の全てを満たすように構成され、
（１）Ａ＞Ｂ、
（２）ａ＜Ａ及びｂ＜Ｂ、
（３）ａ＞ｂ
前記取出口の周縁部に装着された枠部材を備え、
前記枠部材によって、前記取出口から取り出す家庭用薄葉紙の前記重心側に、当該家庭用薄葉紙の前記重心とは反対側よりも大きな抵抗を付与し、
前記枠部材の下端部表面の材質は、前記重心側の方が前記重心とは反対側よりも前記家庭用薄葉紙に対する摩擦抵抗が高いことを特徴とする。
【０００９】
請求項４に記載の発明は、上面に取出口を有し、内側に家庭用薄葉紙を収納するケース体と、前記取出口を開閉させる蓋体と、を備える家庭用薄葉紙収納容器において、
前記取出口は、平面視にて前記蓋体の開放状態時における当該家庭用薄葉紙収納容器自体の重心からずれた位置に設けられ、
当該家庭用薄葉紙収納容器のうち前記取出口の中心よりも前記重心側の部分の荷重をＡ、当該取出口の中心よりも前記重心とは反対側の部分の荷重をＢ、前記取出口から取り出す家庭用薄葉紙の前記重心側に付与される抵抗力をａ、当該家庭用薄葉紙の前記重心とは反対側に付与される抵抗力をｂとした場合、下記の（１）〜（３）の全てを満たすように構成され、
（１）Ａ＞Ｂ、
（２）ａ＜Ａ及びｂ＜Ｂ、
（３）ａ＞ｂ
前記家庭用薄葉紙は、当該家庭用薄葉紙を取り出すための開口が設けられた包装体によって内包されており、
前記取出口を、平面視にて前記開口とずらすとともに、前記取出口の中心を、平面視にて前記開口の中心よりも前記重心とは反対側にずらすことによって、前記取出口から取り出す家庭用薄葉紙の前記重心側に、当該家庭用薄葉紙の前記重心とは反対側よりも大きな抵抗を付与することを特徴とする。
【００１０】
請求項５に記載の発明は、請求項１から４の何れか一項に記載の家庭用薄葉紙収納容器において、
前記枠部材の前記重心側には、前記取出口から取り出す家庭用薄葉紙の前記重心側に付与する抵抗を増加させるために、前記取出口を塞ぐ方向側に向けて延出する延出部が設けられていることを特徴とする。
【００１１】
請求項６に記載の発明は、請求項１から５の何れか一項に記載の家庭用薄葉紙収納容器において、
前記ケース体は、当該ケース体の内面から突出する突起部を有し、
前記突起部によって、前記取出口から取り出す家庭用薄葉紙の前記重心側に、当該家庭用薄葉紙の前記重心とは反対側よりも大きな抵抗を付与することを特徴とする。
【００１４】
請求項７に記載の発明は、請求項１から６の何れか一項に記載の家庭用薄葉紙収納容器において、
前記蓋体は、前記ケース体に対して前記重心側にスライド移動することで前記取出口を開閉させることを特徴とする。
【発明の効果】
【００１５】
本発明によれば、取出口は、平面視にて蓋体の開放状態時における当該家庭用薄葉紙収納容器自体の重心からずれた位置に設けられ、取出口から取り出す家庭用薄葉紙の前記重心側に、当該家庭用薄葉紙の前記重心とは反対側よりも大きな抵抗を付与するので、家庭用薄葉紙を取出口から取り出す際に家庭用薄葉紙収納容器にかかる上向きの力は、主に家庭用薄葉紙収納容器の前記重心側にかかるが、家庭用薄葉紙収納容器の前記重心側の重量によって、家庭用薄葉紙を取出口から取り出す際における家庭用薄葉紙収納容器の持ち上がりを抑制することができる。
【図面の簡単な説明】
【００１６】
【図１】本発明の実施形態に係る家庭用薄葉紙収納容器において、（ａ）は上蓋を閉めた状態を示す斜視図、（ｂ）は上蓋を開けた状態を示す斜視図である。
【図２】本発明の実施形態に係る家庭用薄葉紙収納容器において、上蓋を閉めた状態を示す平面図である。
【図３】本発明の実施形態に係る家庭用薄葉紙収納容器において、上蓋を開けた状態を示す平面図である。
【図４】図２の家庭用薄葉紙収納容器のIV−IV線における断面図である。
【図５】図３の家庭用薄葉紙収納容器のV−V線における断面図である。
【図６】（ａ）ケース側パッキンを示す平面図、（ｂ）ケース側パッキンを示す斜視図である。
【図７】容器本体を示す平面図である。
【図８】シャーシ及び付勢部材を示す平面図である。
【図９】上蓋を示す平面図である。
【図１０】本発明の実施形態に係る家庭用薄葉紙収納容器の製造方法を説明するための図である。
【図１１】ケース側パッキンの変形例を示す図である。
【図１２】ケース側パッキンの変形例を示す図である。
【図１３】ケース側パッキンの変形例を示す図である。
【図１４】ケース側パッキンの変形例を示す図である。
【図１５】ケース側パッキンの変形例を示す図である。
【図１６】ケース側パッキンの変形例を示す図である。
【図１７】ケース側パッキンの変形例を示す図である。
【図１８】容器本体の変形例を示す図である。
【発明を実施するための形態】
【００１７】
以下、本発明の実施の形態を図面に基づいて説明する。ただし、発明の範囲は、図示例に限定されない。
【００１８】
＜家庭用薄葉紙収納容器の構成＞
まず、本実施形態の家庭用薄葉紙収納容器の構成について説明する。
なお、以下の説明では、家庭用薄葉紙収納容器の平面視長手方向を左右方向、平面視短手方向を前後方向、高さ方向を上下方向とする。
【００１９】
本実施形態に係る家庭用薄葉紙収納容器１は、例えば、図１（ａ）に示すように、上蓋２０を閉じた状態で前後方向の側面視にて上側の角が丸みを帯びた略長方形状に形成されており、内部にウェットシートやウェットティシュー等のウェットタイプの家庭用薄葉紙Ｐを収納可能に構成されている。なお、家庭用薄葉紙収納容器１には、ティシューペーパーやキッチンペーパーやペーパータオル等のドライタイプの家庭用薄葉紙Ｐを収納しても良い。
具体的には、家庭用薄葉紙収納容器１は、例えば、図１（ａ），（ｂ）、図２から図５に示すように、上面に家庭用薄葉紙Ｐを取り出すための取出口１１を有するとともに下面に家庭用薄葉紙Ｐが積層された薄葉紙積層体Ｑを詰め替えるための底面開口１２を有し、内側の収納空間部Ｓに薄葉紙積層体Ｑを収納する容器本体１０と、容器本体１０の上面にスライド移動自在に設けられ、取出口１１を開閉させる蓋体としての上蓋２０と、上蓋２０を容器本体１０に取り付けるためのシャーシ３０と、容器本体１０の底面開口１２を塞ぐ底蓋４０と、上蓋２０を開放状態となる方向に付勢する付勢部材５０と、等を備えて構成される。
【００２０】
容器本体１０及びシャーシ３０が、上面に取出口１１を有し、内側に家庭用薄葉紙Ｐを収納するケース体として機能する。すなわち、ケース体は、容器本体１０と、当該容器本体１０の上面に固定されるシャーシ３０と、を備えており、上蓋２０は、ケース体のうちシャーシ３０に取り付けられている。
また、容器本体１０、上蓋２０、シャーシ３０及び底蓋４０は、例えば、ＰＰ（ポリプロピレン）、ＰＥ（ポリエチレン）、ＰＶＣ（ポリ塩化ビニル）、ＰＥＴ（ポリエチレンテレフタレート）、ＡＢＳ（Acrylonitrile Butadiene Styrene）等の熱可塑性樹脂から形成されている。
【００２１】
また、本実施形態においては、付勢部材５０として、引張コイルばね（引きばね）を用いるが、これに限ることはなく、付勢部材５０は、伸縮部材であれば適宜任意に変更可能であり、例えば、トーションばねや圧縮コイルばね（押しばね）等であっても良い。
また、付勢部材５０は、金属材料からなる伸縮部材であっても、高分子材料からなる伸縮部材であっても良い。高分子材料からなる伸縮部材としては、例えば、プラスチック製の伸縮部材、シリコンゴム等のゴムや、スチレン系、オレフィン系、塩化ビニル系、ポリエステル系、ポリウレタン系、ナイロン系のエラストマー等の熱可塑性エラストマーなどの弾性体（軟質材料）製の伸縮部材等が挙げられ、また、その形状は、ばね状であっても、板状やチューブ状や紐状であっても良く、適宜任意に変更可能である。付勢部材５０が高分子材料からなる場合、金属製の付勢部材と違って錆びることがないので、長期に亘って安定的に使用することができる。家庭用薄葉紙収納容器１に収納する家庭用薄葉紙Ｐが、ウェットタイプの家庭用薄葉紙Ｐである場合は特に、金属製の付勢部材５０を用いると、家庭用薄葉紙Ｐから蒸発した薬液によって付勢部材が錆びる可能性が高くなるので、高分子材料からなる付勢部材５０を用いることが好ましい。
【００２２】
ここで、上蓋２０は、左右方向（容器本体１０の平面視長手方向）にスライド移動することで開閉を行う。すなわち、上蓋２０は、閉塞状態時の位置から左右方向の一方（本実施形態の場合、左方向）にスライド移動することで開放状態となり、開放状態時の位置から左右方向の他方（本実施形態の場合、右方向）にスライド移動することで閉塞状態となる。そして、上蓋２０が開放状態となる方向（左方向）に移動することで、家庭用薄葉紙収納容器１の左右一側（本実施形態の場合、左側）が、家庭用薄葉紙収納容器１の左右他側（本実施形態の場合、右側）よりも重くなるように構成されている。また、取出口１１は、平面視にて上蓋２０の開放状態時における家庭用薄葉紙収納容器１自体の重心からずれた位置（本実施形態の場合、右側にずれた位置）に設けられている。
以下、上蓋２０の開放状態時における家庭用薄葉紙収納容器１自体の重心を、「開放重心」という。
【００２３】
また、薄葉紙積層体Ｑは、例えば、複数枚の家庭用薄葉紙Ｐが積層された詰替え用の薄葉紙積層体であって、ケース体（本実施形態の場合、容器本体１０）に形成された取出口１１から家庭用薄葉紙Ｐを継続して取り出せるように交互に折り重ねられた状態で積層されている。すなわち、家庭用薄葉紙Ｐを取出口１１からケース体の外側へ引き出したときに、次の家庭用薄葉紙Ｐの上端が取出口１１よりも突出する位置まで収納空間部Ｓから引き出される、いわゆるポップアップ方式となっている。
なお、薄葉紙積層体Ｑは、本実施形態のように家庭用薄葉紙Ｐを取り出すための開口Ｔ１が設けられた包装体Ｔによって内包されていても良いし、包装体Ｔによって内包されていなくても良い。特に、家庭用薄葉紙収納容器１に収納する家庭用薄葉紙Ｐが、本実施形態のようにウェットタイプの家庭用薄葉紙Ｐである場合には、薄葉紙積層体Ｑを防湿性の包装体Ｔによって内包することが好ましい。
【００２４】
容器本体１０は、例えば、図１（ａ），（ｂ）に示すように、当該容器本体１０の上面を構成する上面部１０ａと、当該容器本体１０の前後左右の周面を構成する周面部１０ｂと、からなり、容器本体１０の下面は平面視にて角のとれた略長方形状を呈する底面開口１２となっている。そして、この底面開口１２を塞ぐように取り付けられた底蓋４０と、容器本体１０の上面部１０ａ及び周面部１０ｂと、によって囲まれた空間が、薄葉紙積層体Ｑを収納するための収納空間部Ｓとなる。
なお、本実施形態では、下面が開口した容器本体１０を用い、薄葉紙積層体Ｑを容器本体１０の下面側から詰め替えるように構成したが、これに限ることはなく、例えば、下面は閉口して前後左右の何れかの面が開口した容器本体１０を用い、薄葉紙積層体Ｑを容器本体１０の前後左右の何れかの面側から詰め替えるように構成することも可能である。
【００２５】
容器本体１０の上面部１０ａには、例えば、図４、図５に示すように、下側に向けて陥没する凹部１３が設けられており、この凹部１３の底面部１３ａに取出口１１が形成されている。
取出口１１は、容器本体１０の内部の収納空間部Ｓに収納された家庭用薄葉紙Ｐを取り出すための、平面視にて角のとれた略長方形状に形成された開口である。
取出口１１は、上蓋２０が開放状態（図１（ｂ）、図３、図５参照）となった場合に開放され、このとき家庭用薄葉紙Ｐは、取出口１１を通じて一枚毎に収納空間部Ｓから外部に引き出すことができるようになっている。
また、取出口１１は、上蓋２０が閉塞状態（図１（ａ）、図２、図４参照）となった場合に閉塞されるようになっている。
【００２６】
例えば、図４、図５に示すように、取出口１１の周縁には、ケース側パッキン１４が装着されている。すなわち、ケース側パッキン１４が、取出口１１の周縁部に装着された枠部材として機能する。
また、上蓋２０の下面にも、蓋側パッキン２１が取り付けられている。
蓋側パッキン２１は、上蓋２０の下面のうち上蓋２０の閉塞状態においてケース側パッキン１４に対応する位置に設けられており、ケース側パッキン１４と蓋側パッキン２１とは、上蓋２０が閉塞状態となった場合に互いに密着して（図４参照）、収納空間部Ｓ内の気密性を保持するように構成されている。すなわち、ケース側パッキン１４及び蓋側パッキン２１が、取出口１１の周縁と上蓋２０との隙間を封止する気密手段として機能する。
これにより、家庭用薄葉紙収納容器１に収納する家庭用薄葉紙Ｐが、本実施形態のようにウェットタイプの家庭用薄葉紙Ｐである場合には、家庭用薄葉紙Ｐに含浸した薬液の蒸発を防止できるようになっている。
【００２７】
なお、本実施形態では、ケース側パッキン１４及び蓋側パッキン２１を、ＬＤＰＥ（Low Density Polyethylene）で形成したが、これに限ることはない。ケース側パッキン１４及び蓋側パッキン２１は、例えば、ＰＥ（Polyethylene）やＰＰ（Polypropylene）などの硬質材料で形成しても良いし、シリコンゴム等のゴムや、スチレン系、オレフィン系、塩化ビニル系、ポリエステル系、ポリウレタン系、ナイロン系のエラストマー等の熱可塑性エラストマーなどの軟質材料で形成しても良い。また、ケース側パッキン１４及び蓋側パッキン２１を、同じ材料で形成しても良いし、異なる材料で形成しても良い。また、ケース側パッキン１４及び蓋側パッキン２１は、家庭用薄葉紙収納容器１に収納する家庭用薄葉紙Ｐがウェットタイプである場合は特に、薬液耐性のある材料で形成されることが好ましい。
また、本実施形態では、容器本体１０にケース側パッキン１４を設けて上蓋２０に蓋側パッキン２１を設けた、すなわち、容器本体１０と上蓋２０との双方に気密手段を設けたが、これに限ることはなく、気密手段によって取出口１１の周縁と上蓋２０との隙間を封止できるのであれば、例えば、容器本体１０だけに気密手段を設けても良いし、上蓋２０だけに気密手段を設けても良い。また、シャーシ３０に取出口１１が設けられている場合には、シャーシ３０に気密手段を設けても良い。
【００２８】
ここで、本実施形態の場合、収納空間部Ｓに収納されている家庭用薄葉紙Ｐの折り方向、すなわち折り畳み線が延びる方向は、左右方向（容器本体１０の平面視長手方向）に対して平行になっている。
また、取出口１１の長手方向は、左右方向（容器本体１０の平面視長手方向）に対して直交している。
したがって、家庭用薄葉紙Ｐは、取出口１１から引き出される際に、取出口１１に装着されたケース側パッキン１４の短手部分（ケース側パッキン１４のうち収納空間部Ｓに収納されている家庭用薄葉紙Ｐの折り方向に平行な部分）よりも、ケース側パッキン１４の長手部分（ケース側パッキン１４のうち収納空間部Ｓに収納されている家庭用薄葉紙Ｐの折り方向に直交する部分）に接触する。
【００２９】
ケース側パッキン１４の下端部は、例えば、図４、図５に示すように、取出口１１よりも下側（収納空間部Ｓに収納されている薄葉紙積層体Ｑ側）に向けて突出している。したがって、最上層の家庭用薄葉紙Ｐを取り出す際に、ケース側パッキン１４の下端部が最上層の家庭用薄葉紙Ｐや次層の家庭用薄葉紙Ｐと接触して、最上層の家庭用薄葉紙Ｐや次層の家庭用薄葉紙Ｐに抵抗を付与するので、次層の家庭用薄葉紙Ｐの飛び出し長さ（取出口１１から突出した部分の長さ）が必要以上に長くなったり、複数枚の家庭用薄葉紙Ｐが連なって引き出されたりすることを抑制することができる。すなわち、家庭用薄葉紙Ｐが不要に飛び出さないように、ケース側パッキン１４で家庭用薄葉紙Ｐを押さえることができる。
【００３０】
さらに、ケース側パッキン１４の下端部のうち左側部分（開放重心側の部分）には、例えば、図６（ａ）、（ｂ）に示すように、内側に向けて（すなわち、取出口１１を塞ぐ方向側に向けて）円弧状に延出する延出部１４ａが設けられている。
前述したように、取出口１１から取り出す家庭用薄葉紙Ｐは、主にケース側パッキン１４の長手部分、すなわちケース側パッキン１４の左側部分及び右側部分に接触する。その接触する部分のうちの左側部分（開放重心側の部分）に延出部１４ａを設けることで、取出口１１から取り出す家庭用薄葉紙Ｐの左側（開放重心側）に付与する抵抗を増加させることができる。
【００３１】
また、ケース側パッキン１４の下端部のうち右側部分（開放重心とは反対側の部分）には、例えば、図６（ａ）、（ｂ）に示すように、上側に向けて幅（前後方向の長さ）が徐々に狭くなる台形状の切欠部１４ｂが設けられている。
前述したように、取出口１１から取り出す家庭用薄葉紙Ｐは、主にケース側パッキン１４の左側部分及び右側部分に接触する。その接触する部分のうちの右側部分（開放重心とは反対側の部分）に切欠部１４ｂを設けることで、取出口１１から取り出す家庭用薄葉紙Ｐの右側（開放重心とは反対側）に付与する抵抗を減少させることができる。
【００３２】
このように、ケース側パッキン１４は、開放重心側に延出部１４ａを有するとともに、開放重心とは反対側に切欠部１４ｂを有している。したがって、家庭用薄葉紙収納容器１は、ケース側パッキン１４によって、取出口１１から取り出す家庭用薄葉紙Ｐの左側（開放重心側）に、当該家庭用薄葉紙Ｐの右側（開放重心とは反対側）よりも大きな抵抗を付与することができる。
【００３３】
また、本実施形態の場合、例えば、図７に示すように、取出口１１は、平面視にて包装体Ｔの開口Ｔ１とずれているとともに、取出口１１の中心は、平面視にて包装体Ｔの開口Ｔ１の中心よりも右側（開放重心とは反対側）にずれている。
すなわち、例えば、図４に示すように、開口Ｔ１の左端部（開口Ｔ１の最長軸上にある左端部）から取出口１１の左端部までの距離Ｌ１は、開口Ｔ１の右端部（開口Ｔ１の最長軸上にある右端部）から取出口１１の右端部までの距離Ｌ２よりも長い。そのため、取出口１１において取出口１１から取り出す家庭用薄葉紙Ｐの左側（開放重心側）が当該家庭用薄葉紙Ｐの右側（開放重心とは反対側）よりも大きく屈折するので、家庭用薄葉紙Ｐの左側と取出口１１の左端部（本実施形態の場合、ケース側パッキン１４の左側部分）との間には、家庭用薄葉紙Ｐの右側と取出口１１の右端部（本実施形態の場合、ケース側パッキン１４の右側部分）との間よりも大きな摩擦力が発生する。したがって、家庭用薄葉紙収納容器１は、包装体Ｔの開口Ｔ１に対する取出口１１の位置及び大きさによって、取出口１１から取り出す家庭用薄葉紙Ｐの左側（開放重心側）に、当該家庭用薄葉紙Ｐの右側（開放重心とは反対側）よりも大きな抵抗を付与することができる。
【００３４】
具体的には、本実施形態の家庭用薄葉紙収納容器１は、上蓋２０の開放状態時における家庭用薄葉紙収納容器１のうち取出口１１の中心よりも開放重心側の部分の荷重を「Ａ」、取出口１１の中心よりも開放重心とは反対側の部分の荷重を「Ｂ」、取出口１１から取り出す家庭用薄葉紙Ｐの開放重心側に付与される抵抗力を「ａ」、当該家庭用薄葉紙Ｐの開放重心とは反対側に付与される抵抗力を「ｂ」とした場合、下記の（１）〜（３）の全てを満たすように構成されている。これにより、家庭用薄葉紙Ｐを取出口１１から取り出す際における家庭用薄葉紙収納容器１の持ち上がりを抑制することができる。
（１）Ａ＞Ｂ、
（２）ａ＜Ａ及びｂ＜Ｂ、
（３）ａ＞ｂ
【００３５】
そして、本実施形態の家庭用薄葉紙収納容器１は、
（ア）ケース側パッキン１４の開放重心とは反対側に切欠部１４ｂを設けること、
（イ）ケース側パッキン１４の開放重心側に延出部１４ａを設けること、
（ウ）取出口１１を開口Ｔ１とずらすとともに、取出口１１の中心を開口Ｔ１の中心よりも開放重心とは反対側にずらすこと、
によって、「（３）ａ＞ｂ」の条件を満たすこと、すなわち取出口１１から取り出す家庭用薄葉紙Ｐの開放重心側に、当該家庭用薄葉紙Ｐの開放重心とは反対側よりも大きな抵抗を付与することができる。したがって、家庭用薄葉紙Ｐを取出口１１から取り出す際に家庭用薄葉紙収納容器１にかかる上向きの力は、主に取出口１１の開放重心側の端部（本実施形態の場合、左端部）にかかるが、家庭用薄葉紙収納容器１の開放重心側の重量によって、家庭用薄葉紙収納容器１の持ち上がりを抑制することができる。
【００３６】
開放重心が平面視にて取出口内にあるとともに、家庭用薄葉紙を取出口から取り出す際に家庭用薄葉紙収納容器にかかる上向きの力が取出口の左端部及び右端部に均等にかかるように構成されている場合、家庭用薄葉紙収納容器の左側にも右側にも十分な重量がないため、家庭用薄葉紙を取出口から取り出す際に家庭用薄葉紙収納容器の全体が持ち上がりやすくなる。
また、家庭用薄葉紙を取出口から取り出す際に家庭用薄葉紙収納容器にかかる上向きの力が主に取出口の左右一端部（例えば、左端部）にかかるように構成しても、開放重心が平面視にて取出口内にある場合には、家庭用薄葉紙収納容器の左右一側（この例の場合、左側）に十分な重量がないため、家庭用薄葉紙を取出口から取り出す際に家庭用薄葉紙収納容器の左右一側（この例の場合、左側）が持ち上がりやすくなる。
また、開放重心が平面視にて取出口からずれた位置（例えば、左側にずれた位置）にあっても、家庭用薄葉紙を取出口から取り出す際に家庭用薄葉紙収納容器にかかる上向きの力が主に取出口の開放重心とは反対側の端部（この例の場合、右端部）にかかるように構成されている場合には、家庭用薄葉紙収納容器の開放重心とは反対側（この例の場合、右側）には十分な重量がないため、家庭用薄葉紙を取出口から取り出す際に家庭用薄葉紙収納容器の開放重心とは反対側（この例の場合、右側）が持ち上がりやすくなる。
一方、本実施形態のように、開放重心が平面視にて取出口からずれた位置（例えば、左側にずれた位置）にあるとともに、家庭用薄葉紙を取出口から取り出す際に家庭用薄葉紙収納容器にかかる上向きの力が主に取出口の開放重心側の端部（この例の場合、左端部）にかかるように構成されている場合には、家庭用薄葉紙収納容器の開放重心側（この例の場合、左側）に十分な重量があるため、家庭用薄葉紙を取出口から取り出す際に家庭用薄葉紙収納容器が持ち上がりにくい。
【００３７】
なお、本実施形態では、（ア）〜（ウ）の全ての条件を満たすように構成したが、（ア）〜（ウ）の条件のうち少なくとも一つを満たせば、取出口１１から取り出す家庭用薄葉紙Ｐの開放重心側に、当該家庭用薄葉紙Ｐの開放重心とは反対側よりも大きな抵抗を付与することができる。無論、収納空間部Ｓ内に包装体Ｔによって内包されていない薄葉紙積層体Ｑが収納されている場合や、収納空間部Ｓ内に収納されている薄葉紙積層体Ｑを内包する包装体の開口と取出口１１との関係が（ウ）の条件を満たさない場合には、（ア）及び／又は（イ）の条件を満たさなければ、取出口１１から取り出す家庭用薄葉紙Ｐの開放重心側に、当該家庭用薄葉紙Ｐの開放重心とは反対側よりも大きな抵抗を付与することはできない。
【００３８】
さらに、（ウ）の条件を満たす場合、すなわち取出口１１において最上層の家庭用薄葉紙Ｐの左側（開放重心側）が当該家庭用薄葉紙Ｐの右側（開放重心とは反対側）よりも大きく屈折する場合には、最上層の家庭用薄葉紙Ｐは、取出口１１の左端部（本実施形態の場合、ケース側パッキン１４の左側部分も含む）で左側から強制的に押さえ込まれた状態になっているので、取出口１１から突出した部分の直立状態を維持することが可能となる。
ウェットタイプの家庭用薄葉紙Ｐは、ドライタイプの家庭用薄葉紙Ｐと比較して、取出口１１から突出した部分が倒れやすい。最上層の家庭用薄葉紙Ｐの取出口１１から突出した部分が倒れやすいと、取出口１１から突出した部分が収納空間部Ｓ内に落ち込む、取出口１１から突出した部分が上蓋２０の開閉時に上蓋２０に噛み込まれる等の問題が発生しやすくなる。これに対し、本実施形態の家庭用薄葉紙収納容器１では、最上層の家庭用薄葉紙Ｐの取出口１１から突出した部分の直立状態を維持することが可能なので、このような問題の発生を抑制することができ、使い勝手が良い。
【００３９】
シャーシ３０は、容器本体１０の凹部１３内に収容された状態で容器本体１０の上面部１０ａに固定されており、上蓋２０は、シャーシ３０を介して容器本体１０に取り付けられている。
シャーシ３０は、例えば、図８に示すように、凹部１３の底面部１３ａ上に載置され、取出口１１を取り囲む枠部３１と、閉塞状態の上蓋２０と略面一となるよう枠部３１に支持される上壁部３２と、を備えて構成される。
ここで、本実施形態では、上蓋２０と上壁部３２とを合わせると、平面視にて略楕円形状の板状部材を構成するようになっている。また、上蓋２０及び上壁部３２は、前後方向（短径方向）に下方へ凸となるよう湾曲した形状をなしている。
【００４０】
シャーシ３０の枠部３１（具体的には、枠部３１の連結部３１ｃ（後述））の上面には、例えば、図２、図３、図８に示すように、付勢部材５０の一端と係合する固定側係合部３３が設けられている。
また、上蓋２０の下面のうち前後方向略中央の位置には、例えば、図２、図３、図９に示すように、付勢部材５０の他端と係合する可動側係合部２２が設けられている。
ここで、例えば、図８に示すように、本実施形態において、家庭用薄葉紙収納容器１は、付勢部材５０である引張コイルばねを２本備えている。また、シャーシ３０の枠部３１は、固定側係合部３３を２つ備えている。この２つの固定側係合部３３は、上蓋２０とシャーシ３０とが組み合わされた状態で所定の直線（具体的には、左右方向（長径方向）に平行で可動側係合部２２を通る直線）に対して互いに線対称となる位置に配置され、かつ、上蓋２０の閉塞状態における可動側係合部２２との間隔が、上蓋２０の開放状態における可動側係合部２２との間隔よりも長くなるように、枠部３１に設けられている。そして、２本の付勢部材５０のうち一方の一端が、２つの固定側係合部３３のうちの一方に掛止されるとともに、２本の付勢部材５０のうち他方の一端が、２つの固定側係合部３３のうちの他方に掛止され、２本の付勢部材５０の双方の他端が、上蓋２０に設けられた可動側係合部２２に掛止されている。
【００４１】
上蓋２０が右側（すなわち、上壁部３２側）へとスライド移動して開放状態から閉塞状態に移行すると、付勢部材５０の一端に係合する固定側係合部３３と、付勢部材５０の他端に係合する可動側係合部２２と、の間隔が長くなるので、付勢部材５０は左側（すなわち、上壁部３２とは反対側）に付勢された状態になる。すなわち、付勢部材５０は、上蓋２０の閉塞状態において、当該上蓋２０を開放状態となる方向に付勢している。そして、付勢部材５０の付勢力に抗する力が解除されると、付勢部材５０の付勢力によって上蓋２０が左側（すなわち、上壁部３２とは反対側）に引っ張られて、取出口１１が開放される。
【００４２】
また、例えば、図４、図５に示すように、本実施形態において、可動側係合部２２は、固定側係合部３３よりも上側に配置されている。そのため、付勢部材５０は、ケース体（容器本体１０やシャーシ３０）の高さ方向に対して斜めに設置、具体的には、可動側係合部２２と係合する他端が、固定側係合部３３と係合する一端よりも上側に配置された状態で設置されている。したがって、付勢部材５０は、上蓋２０の閉塞状態において、当該上蓋２０を開放状態となる方向に付勢するだけでなく、当該上蓋２０を下方向（すなわち、当該上蓋２０をケース体（本実施形態の場合、容器本体１０）に押し付ける方向）にも付勢するので、気密手段（本実施形態の場合、ケース側パッキン１４及び蓋側パッキン２１）によって取出口１１の周縁と上蓋２０との隙間がしっかりと封止されることとなって、収納空間部Ｓの気密性が向上する。
従来、家庭用薄葉紙を収納するためのケース体の上面に、その開放端を上下方向に回動させることで開閉を行う蓋体を設けた家庭用薄葉紙収納容器として、蓋体の開放動作を行いやすくするために、蓋体を開く方向に付勢する付勢部材（エラストマー等により形成されたヒンジ、ねじりコイルばねなど）を備えたものが知られている。このような家庭用薄葉紙収納容器において、付勢部材は、蓋体を開放状態となる方向に付勢、すなわち、蓋体を閉塞状態とは反対方向に付勢しているので、気密性を持たせることが困難であった。これに対し、本実施形態では、左右方向にスライド移動することで開閉を行う蓋体（上蓋２０）を設け、可動側係合部２２を固定側係合部３３よりも上側に配置して付勢部材５０をケース体の高さ方向に対して斜めに設置することで、蓋体（上蓋２０）を開放状態となる方向だけでなく、ケース体に押し付ける方向にも付勢するように構成したので、収納空間部Ｓの気密性が向上する。これにより、家庭用薄葉紙収納容器１に収納する家庭用薄葉紙Ｐが、本実施形態のようにウェットタイプの家庭用薄葉紙Ｐである場合には、家庭用薄葉紙Ｐに含浸した薬液の蒸発を確実に防止できるようになっている。
【００４３】
ここで、付勢部材５０は、伸縮部材により構成され、シャーシ３０の固定側係合部３３が、ケース体（本実施形態の場合、シャーシ３０）に設けられ付勢部材５０の一端と係合する固定点として機能し、上蓋２０の可動側係合部２２が、上蓋２０に設けられ付勢部材５０の他端と係合する可動点として機能する。
そして、付勢部材５０、シャーシ３０の固定側係合部３３及び上蓋２０の可動側係合部２２が、上蓋２０を開放状態となる方向にスライド移動させる可動機構として機能する。
なお、本実施形態では、固定側係合部３３（固定点）をシャーシ３０に設けたが、これに限ることはなく、固定側係合部３３（固定点）は、容器本体１０に設けても良い。
【００４４】
また、本実施形態では、付勢部材５０、シャーシ３０の固定側係合部３３及び上蓋２０の可動側係合部２２は、上蓋２０が、開放状態である場合も、閉塞状態である場合も、開放状態から閉塞状態に移行する途中の状態である場合も、閉塞状態から開放状態に移行する途中の状態である場合も、凹部１３内に配置された状態で上蓋２０に上方から覆われているので、家庭用薄葉紙収納容器１の外部から視認することができない。
すなわち、上蓋２０は、当該上蓋２０の状態にかかわらず、外部から視認不能に付勢部材５０、シャーシ３０の固定側係合部３３及び上蓋２０の可動側係合部２２を遮蔽している。これにより、家庭用薄葉紙収納容器１の美観が向上するとともに、付勢部材５０、シャーシ３０の固定側係合部３３及び上蓋２０の可動側係合部２２が触られることを防止できるようになっている。
【００４５】
さらに、本実施形態では、凹部１３の底面部１３ａが、容器本体１０の内側（収納空間部Ｓ側）から視認不能に付勢部材５０、シャーシ３０の固定側係合部３３及び上蓋２０の可動側係合部２２を遮蔽しているので、付勢部材５０、シャーシ３０の固定側係合部３３及び上蓋２０の可動側係合部２２が、容器本体１０の内側から触られることも防止できるようになっている。
【００４６】
例えば、図４、図５に示すように、上蓋２０の右端部（すなわち、上壁部３２側の端部）には、下側に向けて突出する爪部２３が設けられている。
また、シャーシ３０には、上壁部３２の一部を操作面３４ａとしたスイッチ部３４が設けられている。スイッチ部３４は、前後方向に沿って延設された軸部３４ｂを回動軸として回動可能に構成されており、左端側（すなわち、上蓋２０側）に爪部２３が上方から進入して係合する爪受部３４ｃを有している。また、スイッチ部３４は、図示しない付勢手段によって、押圧されて回動する方向とは逆方向に付勢されている。
【００４７】
上蓋２０が開放状態である際に、付勢部材５０の付勢力に抗する力を作用させて上蓋２０を右側（すなわち、上壁部３２側）へとスライド移動させると、まず、上蓋２０の爪部２３がスイッチ部３４の爪受部３４ｃに当接する。さらに上蓋２０を右側へとスライド移動させると、爪受部３４ｃが爪部２３に押されてスイッチ部３４の付勢手段の付勢力に抗する力が作用し、爪受部３４ｃが下側へと移動するようにスイッチ部３４が回動する。そして、上蓋２０が閉塞状態になってスイッチ部３４の付勢手段の付勢力に抗する力が解除されると、スイッチ部３４の付勢手段の付勢力によって爪受部３４ｃがもとの位置に戻るよう（すなわち、操作面３４ａが上壁部３２の表面と略面一の状態となるよう）にスイッチ部３４が回動して、爪部２３と爪受部３４ｃとが係合する。これにより、上蓋２０の閉塞状態を維持できるようになっている。
【００４８】
また、爪部２３と爪受部３４ｃとが係合している際に、スイッチ部３４の操作面３４ａが押圧されてスイッチ部３４の付勢手段の付勢力に抗する力が作用すると、爪受部３４ｃが下側へと移動するようにスイッチ部３４が回動する。そして、スイッチ部３４の回動に伴い爪部２３と爪受部３４ｃとの係合が解除されると、付勢部材５０の付勢力によって上蓋２０が左側（すなわち、上壁部３２とは反対側）へとスライド移動して開放状態になる。
すなわち、爪部２３及び爪受部３４ｃが、付勢部材５０の付勢力に抗して上蓋２０が閉塞状態となるように係止するとともに、当該係止を解除可能な係止手段として機能する。
なお、本実施形態では、係止手段による係止を解除する際に押圧されるスイッチ部３４をシャーシ３０に設けたが、これに限ることはなく、スイッチ部３４は、容器本体１０に設けても良い。
【００４９】
本実施形態においては、シャーシ３０の枠部３１の一部が、上蓋２０を直線的にスライド移動するようガイドするレール部３１ａになっている。具体的には、例えば、図８に示すように、シャーシ３０の枠部３１は、左右方向に沿って延設され、前後方向に並ぶレール部３１ａ，３１ａと、レール部３１ａ，３１ａの右端部（すなわち、上蓋２０の閉塞状態となる方向側の端部）同士を連結するとともに上壁部３２を支持する支持部３１ｂと、レール部３１ａ，３１ａの左端部（すなわち、上蓋２０の開放状態となる方向側の端部）同士を連結する連結部３１ｃと、からなる。
また、例えば、図９に示すように、上蓋２０には、レール部３１ａに対してスライド移動可能に係合するスライド部２４が設けられている。スライド部２４は、例えば、上蓋２０とシャーシ３０とが組み合わされた状態で、当該スライド部２４の下面が、対応するレール部３１ａの上面に当接するように、上蓋２０の下面から垂下する垂壁部（図示省略）の下端に接続されている。
これにより、上蓋２０をスムーズかつ確実に開閉できるようになっている。
なお、本実施形態では、上蓋２０のスライド移動をガイドするためのレール部３１ａをシャーシ３０に設けたが、これに限ることはなく、レール部３１ａは、容器本体１０に設けても良い。
【００５０】
ここで、例えば、図９に示すように、スライド部２４の左端部（すなわち、上蓋２０の開放状態となる方向側の端部）には、上蓋２０が開放状態となる際の衝撃を吸収するダンパー２４ａが設けられている。
また、例えば、図７に示すように、容器本体１０の凹部１３の周縁のうち、上蓋２０の閉塞状態においてスライド部２４の左端側（ダンパー２４ａを含む）に対応する位置には、上蓋２０が閉塞状態から開放状態へと移行する際にスライド部２４が入り込む横穴部１５が形成されており、上蓋２０の開放状態において、横穴部１５内でスライド部２４のダンパー２４ａが容器本体１０に当接するように構成されている。すなわち、スライド部２４が容器本体１０に衝突することによって、付勢部材５０の付勢力による上蓋２０のスライド移動が停止するように構成されており、当該衝突の際の衝撃を、ダンパー２４ａによって吸収できるようになっている。
なお、本実施形態では、撓むことで衝撃を吸収できるようにダンパー２４ａを左方へ凸となるよう内側から外側に向けて湾曲した弓状に形成したが、これに限ることはなく、ダンパー２４ａの形状は、上蓋２０が開放状態となる際の衝撃を吸収できるのであれば、適宜任意に変更可能である。
【００５１】
例えば、図４、図５に示すように、上蓋２０には、上蓋２０を閉める際等に指を掛けるための可動側指掛部２５が設けられている。具体的には、上蓋２０には、可動側指掛部２５として、当該上蓋２０の右端部（すなわち、上蓋２０の閉塞状態となる方向側の端部）を上側に向けて起立させることによって形成された突起部が設けられている。また、上蓋２０には、可動側指掛部２５に掛けた指を載置するための指載置部２６として、当該上蓋２０の上面を下側に向けて窪ませることによって形成された凹部が設けられている。
また、ケース体（本実施形態の場合、シャーシ３０）のうち係止手段（本実施形態の場合、爪受部３４ｃ）よりも右側（すなわち、上蓋２０の閉塞状態となる方向側）には、上蓋２０を閉める際等に指を掛けるための不動側指掛部３５が設けられている。具体的には、シャーシ３０には、不動側指掛部３５として、シャーシ３０の端部（本実施形態の場合、上壁部３２の右端部）を上側に向けて起立させることにより形成された突起部が設けられている。
【００５２】
すなわち、可動側指掛部２５の左側（すなわち、不動側指掛部３５とは反対側）に指を掛けて上蓋２０を閉める際に、不動側指掛部３５の右側（すなわち、可動側指掛部２５とは反対側）に指を掛けて容器本体１０に左方向の力（上蓋２０に作用させる力とは逆方向の力）を作用させて容器本体１０が滑らないように容器本体１０を固定しておくことができるように構成されている。これにより、片手で上蓋２０を閉めることができるようになっている。
また、本実施形態の場合、不動側指掛部３５は、スイッチ部３４に離間してケース体（本実施形態の場合、シャーシ３０）に設けられている。これにより、不動側指掛部３５に掛けた指でスイッチ部３４を誤操作してしまうことを防止できるようになっている。
なお、本実施形態では、不動側指掛部３５をシャーシ３０に設けたが、これに限ることはなく、不動側指掛部３５は、容器本体１０に設けても良い。
【００５３】
例えば、図４、図５に示すように、上蓋２０の下面には、先端が左側（すなわち、上蓋２０の開放状態となる方向側）を向くよう前後方向の側面視略逆Ｌ字状に突出する突片部２７が設けられている。
また、例えば、図７に示すように、容器本体１０の凹部１３の周縁のうち、上蓋２０の閉塞状態において突片部２７の先端側（ダンパー２７ａ（後述）を含む）に対応する位置には、上蓋２０が閉塞状態から開放状態へと移行する際に突片部２７が入り込む横穴部１６が形成されており、上蓋２０が開放状態になると、上蓋２０の突片部２７の先端側が容器本体１０の横穴部１６に入り込んで、突片部２７の上下方向の移動が規制されるように構成されている。これにより、上蓋２０の開放状態において、上蓋２０の左端側が上方向へと移動して上蓋２０が起き上がってしまうことを防止できるようになっている。
【００５４】
ここで、例えば、図４、図５に示すように、突片部２７の先端部には、上蓋２０が開放状態となる際の衝撃を吸収するダンパー２７ａが設けられており、上蓋２０の開放状態において、横穴部１６内で突片部２７のダンパー２７ａが容器本体１０に当接するように構成されている。すなわち、突片部２７が容器本体１０に衝突することによっても、付勢部材５０の付勢力による上蓋２０のスライド移動が停止するように構成されており、当該衝突の際の衝撃を、ダンパー２７ａによって吸収できるようになっている。
【００５５】
なお、本実施形態では、撓むことで衝撃を吸収できるようにダンパー２７ａを左方へ凸となるよう上側から下側に向けて湾曲した弓状に形成したが、これに限ることはなく、ダンパー２７ａの形状は、上蓋２０が開放状態となる際の衝撃を吸収できるのであれば、適宜任意に変更可能である。
また、本実施形態では、突片部２７にダンパー２７ａを設けてスライド部２４にダンパー２４ａを設けた、すなわち、突片部２７とスライド部２４との双方にダンパーを設けたが、これに限ることはなく、ダンパーによって上蓋２０が開放状態となる際の衝撃を吸収すること（衝撃を緩めること）ができるのであれば、例えば、突片部２７だけにダンパーを設けても良いし、スライド部２４だけにダンパーを設けても良いし、突片部２７及びスライド部２４以外の部分にダンパーを設けても良い。また、ダンパーは、上蓋２０側ではなく、ケース体（容器本体１０やシャーシ３０）側に設けても良いし、上蓋２０側とケース体側との双方に設けても良い。突片部２７にダンパーを設けない場合は、上蓋２０の開放状態において、突片部２７が横穴部１６内で容器本体１０に当接しないように構成することが好ましい。また、スライド部２４にダンパーを設けない場合は、上蓋２０の開放状態において、スライド部２４が横穴部１５内で容器本体１０に当接しないように構成することが好ましい。
【００５６】
なお、本実施形態では、スライド部２４の左端側が入り込む横穴部１５の上方が上面部１０ａによって塞がれるように構成したが、これに限ることはなく、横穴部１５は上方に開口していてもよい。
また、突片部２７は、上蓋２０が起き上がってしまうことを防止するために設けられているが、本実施形態のように、スライド部２４の左端側が入り込む横穴部１５の上方が上面部１０ａによって塞がれている場合には、スライド部２４によって、上蓋２０が起き上がってしまうことを防止することができる。具体的には、この場合には、上蓋２０が開放状態になると、上蓋２０のスライド部２４の左端側が容器本体１０の横穴部１５に入り込んで、スライド部２４の上下方向の移動が規制され、上蓋２０が起き上がってしまうことを防止することができるので、突片部２７を設けなくてもよい。
【００５７】
＜家庭用薄葉紙収納容器の製造方法＞
次に、本実施形態の家庭用薄葉紙収納容器の製造方法の一例について、図１０を参照して説明する。
まず、ブロー成型、またはインジェクション、ブローインジェクション等の製法によって、各パーツを作製する。
次いで、シャーシ３０に、付勢部材５０と上蓋２０とを組み付けてアセンブリ体Ａを形成する。
次いで、アセンブリ体Ａを容器本体１０に取り付ける。具体的には、シャーシ３０の下面に設けられた複数（本実施形態の場合、５個）の嵌合凸部３６と、容器本体１０の凹部１３の底面部１３ａに嵌合凸部３６に対応させて設けられた嵌合孔部１７と、が嵌合するよう、アセンブリ体Ａを、容器本体１０の凹部１３内に当該凹部１３の上方から嵌め込むことによって、容器本体１０に取り付ける。すなわち、付勢部材５０と上蓋２０とは、シャーシ３０に組み付けられて一体に構成されたアセンブリ体Ａの状態で、容器本体１０に取り付けられている。これにより、上蓋２０と付勢部材５０とシャーシ３０とを別々に容器本体１０に取り付ける手間を省くことができるようになっている。
なお、本実施形態では、シャーシ３０に設けられた嵌合凸部３６と、容器本体１０に設けられた嵌合孔部１７と、を嵌合させることによって、アセンブリ体Ａを容器本体１０に固定するよう構成したが、これに限ることはなく、例えば、ねじ等によってアセンブリ体Ａを容器本体１０に固定しても良い。
【００５８】
以上説明した本実施形態の家庭用薄葉紙収納容器１によれば、上面に取出口１１を有し、内側に家庭用薄葉紙Ｐを収納するケース体（容器本体１０及びシャーシ３０）と、取出口１１を開閉させる上蓋２０（蓋体）と、を備える家庭用薄葉紙収納容器１において、取出口１１は、平面視にて開放重心（上蓋２０の開放状態時における当該家庭用薄葉紙収納容器１自体の重心）からずれた位置に設けられ、当該家庭用薄葉紙収納容器１のうち取出口１１の中心よりも開放重心側の部分の荷重を「Ａ」、取出口１１の中心よりも開放重心とは反対側の部分の荷重を「Ｂ」、取出口１１から取り出す家庭用薄葉紙Ｐの開放重心側に付与される抵抗力を「ａ」、当該家庭用薄葉紙Ｐの開放重心とは反対側に付与される抵抗力を「ｂ」とした場合、下記の（１）〜（３）の全てを満たすように構成されている。
（１）Ａ＞Ｂ、
（２）ａ＜Ａ及びｂ＜Ｂ、
（３）ａ＞ｂ
したがって、家庭用薄葉紙Ｐを取出口１１から取り出す際に家庭用薄葉紙収納容器１にかかる上向きの力は、主に家庭用薄葉紙収納容器１の開放重心側（本実施形態の場合、左側）にかかるが、家庭用薄葉紙収納容器１の開放重心側の重量によって、家庭用薄葉紙Ｐを取出口１１から取り出す際における家庭用薄葉紙収納容器１の持ち上がりを抑制することができる。
【００５９】
なお、取出口１１が、平面視にて少なくとも上蓋２０の開放状態時における家庭用薄葉紙収納容器１自体の重心からずれた位置に設けられるのであれば、例えば、取出口１１は、平面視にて上蓋２０の閉塞状態時における家庭用薄葉紙収納容器１自体の重心からもずれた位置に設けられるように構成することも可能である。
【００６０】
また、以上説明した本実施形態の家庭用薄葉紙収納容器１によれば、取出口１１の周縁部に装着されたケース側パッキン１４（枠部材）を備え、ケース側パッキン１４によって、取出口１１から取り出す家庭用薄葉紙Ｐの開放重心側（本実施形態の場合、左側）に、当該家庭用薄葉紙Ｐの開放重心とは反対側（本実施形態の場合、右側）よりも大きな抵抗を付与することができる。
具体的には、ケース側パッキン１４の下端部の開放重心とは反対側には、取出口１１から取り出す家庭用薄葉紙Ｐの開放重心とは反対側に付与する抵抗を減少させるための切欠部１４ｂが設けられている。
また、ケース側パッキン１４の開放重心側には、取出口１１から取り出す家庭用薄葉紙Ｐの開放重心側に付与する抵抗を増加させるために、取出口１１を塞ぐ方向側に向けて延出する延出部１４ａが設けられている。
したがって、収納空間部Ｓを気密状態とするためのケース側パッキン１４によって、家庭用薄葉紙Ｐを取り出す際の家庭用薄葉紙収納容器１の持ち上がりを抑制することができるので、部品点数を増やすことなく、新たな機能を追加することができる。
【００６１】
なお、本実施形態では、ケース側パッキン１４の下端部に延出部１４ａを設けたが、これに限ることはなく、例えば、ケース側パッキン１４の下端部以外の部分に延出部１４ａを設けるように構成することも可能である。ケース側パッキン１４の下端部に延出部１４ａを設けた場合、下端部以外の部分に延出部１４ａを設けるよりも、取出口１１から取り出す家庭用薄葉紙Ｐの開放重心側に付与する抵抗を効率よく増加させることができる。
【００６２】
また、以上説明した本実施形態の家庭用薄葉紙収納容器１によれば、家庭用薄葉紙Ｐは、当該家庭用薄葉紙Ｐを取り出すための開口Ｔ１が設けられた包装体Ｔによって内包されており、取出口１１を、平面視にて開口Ｔ１とずらすとともに、取出口１１の中心を、平面視にて開口Ｔ１の中心よりも開放重心とは反対側にずらすことによって、取出口１１から取り出す家庭用薄葉紙Ｐの開放重心側（本実施形態の場合、左側）に、当該家庭用薄葉紙Ｐの開放重心とは反対側（本実施形態の場合、右側）よりも大きな抵抗を付与することができる。
したがって、開口Ｔ１に対する取出口１１の位置及び大きさによって、家庭用薄葉紙Ｐを取り出す際の家庭用薄葉紙収納容器１の持ち上がりを抑制することができるので、部品点数を増やすことなく、新たな機能を追加することができる。
ここで、「取出口１１を、平面視にて開口Ｔ１とずらす」とは、取出口１１の少なくとも一部が平面視にて開口Ｔ１と重ならないことをいう。
【００６３】
なお、本実施形態では、平面視にて取出口１１の中心と容器本体１０の中心とが一致しないように構成したが、これに限ることはなく、例えば、平面視にて取出口１１の中心と容器本体１０の中心とが一致するように構成することも可能である。
【００６４】
また、以上説明した本実施形態の家庭用薄葉紙収納容器１によれば、上蓋２０は、ケース体（容器本体１０及びシャーシ３０）に対して開放重心側にスライド移動することで取出口１１を開閉させるように構成されている。
したがって、上蓋２０の開放状態となる方向へのスライド移動によって、家庭用薄葉紙収納容器１自体の重心が平面視にて取出口１１からずれるので、部品点数を増やすことなく、新たな機能を追加することができる。
【００６５】
なお、本実施形態では、上蓋２０の重さによって、上蓋２０の開放状態時における家庭用薄葉紙収納容器１自体の重心が、平面視にて取出口１１からずれた位置に設けられるよう構成したが、これに限ることはなく、例えば、上蓋２０の開放状態時における家庭用薄葉紙収納容器１自体の重心を平面視にて取出口１１からずれた位置に設けるための部材（おもり等）を、別途設けることも可能である。
【００６６】
また、以上説明した本実施形態の家庭用薄葉紙収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０を開放状態となる方向に付勢する付勢部材５０を有し、当該上蓋２０を開放状態となる方向にスライド移動させる可動機構（付勢部材５０、固定側係合部３３及び可動側係合部２２）と、付勢部材５０の付勢力に抗して上蓋２０が閉塞状態となるように係止するとともに、当該係止を解除可能な係止手段（爪部２３及び爪受部３４ｃ）と、を備えている。
すなわち、係止手段（爪部２３及び爪受部３４ｃ）による係止を解除すると、付勢部材５０の付勢力によって、取出口１１を閉塞していた上蓋２０がスライド移動して開放状態となり、取出口１１が開放されることとなる。
したがって、係止手段（爪部２３及び爪受部３４ｃ）による係止を解除するだけで付勢部材５０の付勢力によって自動的に上蓋２０が開くので、上蓋２０の開放動作が行いやすく、利便性が高い。
【００６７】
具体的には、本実施形態において、付勢部材５０は、伸縮部材により構成され、可動機構は、ケース体（本実施形態の場合、シャーシ３０）に設けられ付勢部材５０の一端と係合する固定点としての固定側係合部３３と、上蓋２０に設けられ付勢部材５０の他端と係合する可動点としての可動側係合部２２と、を備えている。
なお、家庭用薄葉紙収納容器１に備える付勢部材５０の個数（本数）は、２つ（２本）に限ることはなく、適宜任意に変更可能であり、１つ（１本）であっても良いし、３つ（３本）以上あってもよい。また、固定側係合部３３や可動側係合部２２の個数は、付勢部材５０の個数に応じて、適宜任意に変更可能である。
また、本実施形態では、上蓋２０が、ケース体の外側でスライド移動するように構成したが、これに限ることはなく、上蓋２０が、ケース体の内側でスライド移動して、上蓋２０の開放状態において上蓋２０の大部分（例えば、可動側指掛部２５を除く部分）がケース体内に収まるように構成することも可能である。
【００６８】
また、以上説明した本実施形態の家庭用薄葉紙収納容器１によれば、可動側係合部２２は、固定側係合部３３よりも上側に配置されている。
すなわち、付勢部材５０は、ケース体（容器本体１０やシャーシ３０）の高さ方向に対して斜めに設置されているので、上蓋２０を開放状態となる方向だけでなく、上蓋２０をケース体に押し付ける方向にも付勢することができる。したがって、家庭用薄葉紙収納容器１の気密性が向上するので、家庭用薄葉紙収納容器１に収納する家庭用薄葉紙Ｐが、ウェットタイプの家庭用薄葉紙Ｐである場合には、家庭用薄葉紙Ｐに含浸した薬液の蒸発を防止できる。
【００６９】
また、以上説明した本実施形態の家庭用薄葉紙収納容器１によれば、上蓋２０は、当該上蓋２０の状態にかかわらず、外部から視認不能に付勢部材５０を遮蔽している。
したがって、家庭用薄葉紙収納容器１の美観が向上する。
また、付勢部材５０が触られることを防止することができるので、付勢部材５０に汚れが付きにくく、付勢部材５０に指等が挟まる心配もなく、衛生的に安全に使用することができるとともに、付勢部材５０が、取り外されてしまったり、取り外されて誤飲されてしまったりすることを防止することができる。
【００７０】
また、以上説明した本実施形態の家庭用薄葉紙収納容器１によれば、上蓋２０が開放状態となる際の衝撃を吸収するダンパー２４ａ，２７ａを備えている。
すなわち、上蓋２０は付勢部材５０の付勢力によって自動的に開くが、その際の衝撃がダンパー２４ａ，２７ａによって吸収されるので、上蓋２０が開放状態となる際の衝撃に伴う上蓋２０やケース体（本実施形態の場合、主に容器本体１０）の磨耗を抑制したり、上蓋２０が開放状態となる際に生じる衝突音を軽減したりすることができる。
【００７１】
また、以上説明した本実施形態の家庭用薄葉紙収納容器１によれば、ケース体（本実施形態の場合、シャーシ３０）には、上蓋２０のスライド移動をガイドするためのレール部３１ａが設けられ、上蓋２０には、レール部３１ａに対してスライド移動可能に係合するスライド部２４が設けられている。
すなわち、上蓋２０はスライド移動することによって取出口１１を開閉させるが、そのスライド移動がレール部３１ａによってガイドされるので、上蓋２０をスムーズかつ確実に開閉することができる。
【００７２】
また、以上説明した本実施形態の家庭用薄葉紙収納容器１によれば、上面に取出口１１を有し、内側に家庭用薄葉紙Ｐを収納するケース体（容器本体１０及びシャーシ３０）と、ケース体に対してスライド移動することで取出口１１を開閉させる蓋体としての上蓋２０と、上蓋２０が閉塞状態となるように係止するとともに、当該係止を解除可能な係止手段（爪部２３及び爪受部３４ｃ）と、を備え、上蓋２０には、可動側指掛部２５が設けられ、ケース体（本実施形態の場合、シャーシ３０）のうち係止手段（本実施形態の場合、爪受部３４ｃ）よりも上蓋２０の閉塞状態となる方向側には、不動側指掛部３５が設けられている。
すなわち、可動側指掛部２５に指を掛けて上蓋２０に閉塞状態となる方向（本実施形態の場合、右方向）の力を加えることができるだけでなく、上蓋２０を閉める際に、閉塞状態となる方向の力が上蓋２０だけでなくケース体（容器本体１０及びシャーシ３０）に加わってしまっても、不動側指掛部３５に指を掛けてケース体に逆方向の力を作用させてケース体を固定しておくことができるので、ケース体が滑ってしまうことがない。
したがって、片手で上蓋２０を閉めることができ、上蓋２０の閉塞動作が行いやすい。
【００７３】
特に、本実施形態の場合、上蓋２０を開放状態となる方向に付勢する付勢部材５０を備えているので、上蓋２０を閉める際に、上蓋２０の閉塞状態となる方向の力として、付勢部材５０の付勢力に抗する力を上蓋２０に加えることとなる。その際に、付勢部材５０の付勢力によって、付勢部材５０の付勢力に抗する力と同じ方向の力がケース体に加わるので、ケース体は上蓋２０の閉塞状態となる方向側に滑りやすいが、不動側指掛部３５を設けることで、ケース体が滑らないように、不動側指掛部３５に指を掛けてケース体を固定しておくことができる。
なお、本実施形態では、家庭用薄葉紙収納容器１に上蓋２０を開放状態となる方向に付勢する付勢部材５０を設けたが、これに限ることはなく、家庭用薄葉紙収納容器１に付勢部材５０を設けなくてもよい。家庭用薄葉紙収納容器１に付勢部材５０を設けない場合には、可動側指掛部２５と不動側指掛部３５との双方に指を掛けて上蓋２０を開閉することができる。したがって、片手で上蓋２０を開閉することができ、上蓋２０の開閉動作が行いやすい。
【００７４】
また、以上説明した本実施形態の家庭用薄葉紙収納容器１によれば、ケース体（本実施形態の場合、シャーシ３０）は、係止手段（爪部２３及び爪受部３４ｃ）による係止を解除する際に押圧されるスイッチ部３４を備え、不動側指掛部３５は、スイッチ部３４に離間してケース体（本実施形態の場合、シャーシ３０）に設けられた突起部である。
具体的には、本実施形態において、ケース体は、容器本体１０と、当該容器本体１０の上面に固定されるシャーシ３０と、を備え、上蓋２０は、シャーシ３０に取り付けられ、不動側指掛部３５は、シャーシ３０の端部（本実施形態の場合、上壁部３２の右端部）を上側に向けて起立させることにより形成された突起部である。
したがって、不動側指掛部３５がスイッチ部３４に離間して設けられているので、不動側指掛部３５に掛けた指でスイッチ部３４を誤操作してしまうことを防止することができ、上蓋２０を片手で確実に閉めることができる。
なお、本実施形態では、スイッチ部３４を回動可能に構成したが、これに限ることはなく、スイッチ部３４を押圧することで係止手段（爪部２３及び爪受部３４ｃ）による係止を解除できるのであれば、スイッチ部３４の構成は適宜任意に変更可能であり、例えば、スイッチ部３４は上下方向に揺動可能に構成しても良い。
また、スイッチ部３４や不動側指掛部３５を設ける箇所は、スイッチ部３４や不動側指掛部３５が容器本体１０の平面（上面）視外形からはみ出さないのであれば、適宜任意に変更可能である。
【００７５】
また、以上説明した本実施形態の家庭用薄葉紙収納容器１によれば、上面に取出口１１を有し、内側に家庭用薄葉紙Ｐを収納するケース体と、ケース体に対してスライド移動することで取出口１１を開閉させる蓋体としての上蓋２０と、上蓋２０を開放状態となる方向に付勢する付勢部材５０と、を備え、ケース体は、容器本体１０と、当該容器本体１０の上面に固定されるシャーシ３０と、を備え、付勢部材５０と上蓋２０とは、シャーシ３０に組み付けられて一体に構成されたアセンブリ体Ａの状態で、容器本体１０に取り付けられている。
具体的には、本実施形態において、容器本体１０は、上面に凹部１３を有し、取出口１１は当該凹部１３に設けられ、アセンブリ体Ａは、凹部１３内に当該凹部１３の上方から嵌め込まれている。
また、以上説明した本実施形態の家庭用薄葉紙収納容器１の製造方法によれば、シャーシ３０に、付勢部材５０と上蓋２０とを組み付けてアセンブリ体Ａを形成し、次いで、アセンブリ体Ａを容器本体１０に取り付けるようになっている。
したがって、上蓋２０と付勢部材５０とを別々に容器本体１０に取り付ける必要がないので、組み立てやすい。
【００７６】
＜変形例１＞
ケース側パッキン１４に設ける延出部１４ａの形状は、適宜任意に変更可能であり、例えば、図１１に示す延出部１４ａのように、その端部が上記実施形態の延出部１４ａ（図６（ａ）参照）よりも幅広の円弧状をなしていても良いし、例えば、図１２に示す延出部１４ａのように、その端部が波状をなしていても良い。
また、延出部１４ａの位置は、少なくともケース側パッキン１４のうち開放重心側の部分に設けられているのであれば、適宜任意に変更可能であり、例えば、図１３に示すように、開放重心側の部分（例えば、左側部分）を経て開放重心側の部分に直交する部分の一方（例えば、後側部分）から他方（例えば、前側部分）に亘って設けられていても良いし、例えば、図１４、図１５に示すように、開放重心とは反対側の部分（例えば、右側部分）にも設けられていても良い。
ここで、ケース側パッキン１４が硬質材料で形成されている場合、延出部１４ａの形状が角ばった形状だと、延出部１４ａに家庭用薄葉紙Ｐが引っ掛かって毛羽立ったり破れたりする虞がある。したがって、ケース側パッキン１４が硬質材料で形成されている場合は特に、延出部１４ａの形状は、上記実施形態の延出部１４ａ（図６（ａ）参照）や変形例１の延出部１４ａ（図１１〜図１５参照）のように、丸みを帯びた形状であることが好ましい。
【００７７】
また、ケース側パッキン１４に設ける切欠部１４ｂの形状や位置は、適宜任意に変更可能である。
特に、ケース側パッキン１４の開放重心とは反対側にも延出部１４ａを設ける場合、ケース側パッキン１４の下端部のうち延出部１４ａが形成される部分には切欠部１４ｂを形成することができない。したがって、この場合には、例えば、図１４、図１５に示す切欠部１４ｂのように、上記実施形態の切欠部１４ｂ（図６（ａ）参照）よりも幅狭にしたり、切欠部１４ｂの前後方向の中心をケース側パッキン１４の前後方向の中心からずらしたりすると良い。
【００７８】
＜変形例２＞
また、ケース側パッキン１４の下端部の開放重心側には、取出口１１から取り出す家庭用薄葉紙Ｐの開放重心側に付与する抵抗を増加させるための複数の角部１４ｃが所定間隔を有して設けられていても良い。具体的には、ケース側パッキン１４の下端部のうち開放重心側の部分は、例えば、図１６（ａ）に示すように、三角波状に形成されていても良いし、また、矩形波状やのこぎり波状や台形波状などに形成されていても良い。これにより、ケース側パッキン１４の下端部の開放重心側に設けられた角部１４ｃに家庭用薄葉紙Ｐの開放重心側が引っ掛かり、家庭用薄葉紙Ｐの開放重心側により大きな抵抗が付与されるので、取出口１１から取り出す家庭用薄葉紙Ｐの開放重心側に付与する抵抗を増加させることができる。
【００７９】
また、ケース側パッキン１４の下端部の開放重心側には、例えば、図１６（ｂ）に示すように、取出口１１から取り出す家庭用薄葉紙Ｐの開放重心側に付与する抵抗を増加させるための複数のスリット１４ｄが所定間隔を有して設けられていても良い。これにより、ケース側パッキン１４の下端部の開放重心側に設けられたスリット１４ｄに家庭用薄葉紙Ｐの開放重心側が入り込み、家庭用薄葉紙Ｐの開放重心側により大きな抵抗が付与されるので、取出口１１から取り出す家庭用薄葉紙Ｐの開放重心側に付与する抵抗を増加させることができる。
【００８０】
なお、ケース側パッキン１４に複数の角部１４ｃや複数のスリット１４ｄを設ける場合、ケース側パッキン１４が硬質材料で形成されていると、角部１４ｃに家庭用薄葉紙Ｐが引っ掛かった際や、スリット１４ｄに家庭用薄葉紙Ｐが入り込んだ際に、家庭用薄葉紙Ｐが傷ついて毛羽立ったり破れたりする虞がある。したがって、ケース側パッキン１４に複数の角部１４ｃや複数のスリット１４ｄを設ける場合は、少なくともケース側パッキン１４の下端部のうち開放重心側の部分を軟質材料で形成することが好ましい。
また、図１６（ａ）、（ｂ）では、延出部１４ａの代わりに、複数の角部１４ｃや複数のスリット１４ｄを設けたが、ケース側パッキン１４の開放重心側には、延出部１４ａと角部１４ｃとの両方を設けることも可能であるし、延出部１４ａとスリット１４ｄとの両方を設けることも可能である。また、ケース側パッキン１４の開放重心側には、角部１４ｃとスリット１４ｄとを設けることも可能であるし、延出部１４ａと角部１４ｃとスリット１４ｄとを設けることも可能である。
【００８１】
＜変形例３＞
また、ケース側パッキン１４の下端部表面の材質を、開放重心側の方が開放重心とは反対側よりも摩擦抵抗の高い材質としても良い。具体的には、例えば、図１７に示すように、ケース側パッキン１４の下端部のうち開放重心側の部分を、ケース側パッキン１４本体を形成する材料よりも摩擦抵抗の高い材料で形成された膜１４ｅで覆っても良いし、また、ケース側パッキン１４の下端部のうち開放重心側の部分を、その他の部分を形成する材料よりも摩擦抵抗の高い材料で形成しても良い。これにより、ケース側パッキン１４の下端部の開放重心側と家庭用薄葉紙Ｐの開放重心側との間により大きな摩擦力が発生し、家庭用薄葉紙Ｐの開放重心側により大きな抵抗が付与されるので、取出口１１から取り出す家庭用薄葉紙Ｐの開放重心側に付与する抵抗を増加させることができる。
【００８２】
なお、図１７では、延出部１４ａや角部１４ｃやスリット１４ｄを設けていないが、ケース側パッキン１４の開放重心側に延出部１４ａ、角部１４ｃ及びスリット１４ｄの少なくとも何れか一つを設けるとともに、当該開放重心側の表面の材質を摩擦抵抗の高い材質としても良い。また、延出部１４ａの表面の材質を摩擦抵抗の高い材質としても良い。
【００８３】
＜変形例４＞
また、ケース体の取出口１１よりも開放重心側には、例えば、図１８に示すように、取出口１１から取り出す家庭用薄葉紙Ｐの開放重心側に抵抗を付与するために、ケース体（本変形例の場合、容器本体１０）の内面から突出する突起部Ｙを設けても良い。この場合、家庭用薄葉紙収納容器１は、突起部Ｙによって、取出口１１から取り出す家庭用薄葉紙Ｐの開放重心側に、当該家庭用薄葉紙Ｐの開放重心とは反対側よりも大きな抵抗を付与することができる。
したがって、家庭用薄葉紙Ｐを取出口１１から取り出す際に家庭用薄葉紙収納容器１にかかる上向きの力は、主に突起部Ｙにかかるが、家庭用薄葉紙収納容器１の開放重心側の重量によって、家庭用薄葉紙Ｐを取出口１１から取り出す際における家庭用薄葉紙収納容器１の持ち上がりを抑制することができる。
【００８４】
なお、ケース体に突起部Ｙを設ける場合、取出口１１には、取出口１１から取り出す家庭用薄葉紙Ｐの開放重心側に当該家庭用薄葉紙Ｐの開放重心とは反対側よりも大きな抵抗を付与しないケース側パッキンＸ、すなわち延出部１４ａや切欠部１４ｂ等が設けられていないケース側パッキンＸ（図１８参照）を装着しても良いし、取出口１１から取り出す家庭用薄葉紙Ｐの開放重心側に当該家庭用薄葉紙Ｐの開放重心とは反対側よりも大きな抵抗を付与するケース側パッキン１４、すなわち延出部１４ａや切欠部１４ｂ等が設けられたケース側パッキン１４を装着しても良い。
また、ケース体に突起部Ｙを設ける場合、取出口１１は、「取出口１１が、平面視にて包装体Ｔの開口Ｔ１とずれているとともに、取出口１１の中心が、平面視にて包装体Ｔの開口Ｔ１の中心よりも開放重心とは反対側にずれていること」という条件を満たしていてもよいし、満たしていなくてもよい。
また、突起部Ｙの形状や個数や設置位置は、図１８に示すものに限ることはなく、適宜任意に変更可能である。また、家庭用薄葉紙収納容器１が取出口１１から取り出す家庭用薄葉紙Ｐの開放重心側に当該家庭用薄葉紙Ｐの開放重心とは反対側よりも大きな抵抗を付与することができるように構成されるのであれば、ケース体の開放重心とは反対側にも突起部を設けても良い。
また、突起部Ｙは、スプリングばね等を内蔵する伸縮可能な部材であっても良い。この場合、収納空間部Ｓ内の家庭用薄葉紙Ｐの枚数に応じて突起部Ｙが伸縮するので、収納空間部Ｓ内の家庭用薄葉紙Ｐの枚数にかかわらず、突起部Ｙによって、取出口１１から取り出す家庭用薄葉紙Ｐの開放重心側に、当該家庭用薄葉紙Ｐの開放重心とは反対側よりも大きな抵抗を付与することができる。したがって、収納空間部Ｓ内の薄葉紙積層体Ｑの使いはじめから使い終わりにかけて安定して家庭用薄葉紙収納容器１の持ち上がりを抑制することができる。
【００８５】
また、突起部Ｙで、収納空間部Ｓ内の薄葉紙積層体Ｑを上側から下側へと押すように構成することも可能である。この場合、突起部Ｙによって収納空間部Ｓ内で薄葉紙積層体Ｑが動かないように薄葉紙積層体Ｑを押さえ付けることができるので、家庭用薄葉紙Ｐを取出口１１からよりスムーズに取り出すことができるとともに、家庭用薄葉紙Ｐの取出口１１から突出した部分が収納空間部Ｓ内に落ち込むことをより効果的に抑制することができる。
【００８６】
なお、今回開示された実施の形態はすべての点で例示であって制限的なものではないと考えられるべきである。また、前述の実施形態及び変形例の構成を組み合わせて適用しても良い。本発明の範囲は上記した説明ではなくて特許請求の範囲によって示され、特許請求の範囲と均等の意味および範囲内でのすべての変更が含まれることが意図される。
【００８７】
例えば、底蓋４０等に、収納空間部Ｓ内の薄葉紙積層体Ｑを下側から押し上げる部材を設けても良い。
この場合、収納空間部Ｓ内で薄葉紙積層体Ｑが動かないように、当該部材と、ケース側パッキン１４や突起部Ｙとで、薄葉紙積層体Ｑを挟むことができるので、家庭用薄葉紙Ｐを取出口１１からよりスムーズに取り出すことができるとともに、家庭用薄葉紙Ｐの取出口１１から突出した部分が収納空間部Ｓ内に落ち込むことをより効果的に抑制することができる。
【００８８】
また、家庭用薄葉紙収納容器１には、上面に近い側はポップアップする高さが低く、下面に近づくにつれてポップアップする高さが高くなる折り方で積層された家庭用薄葉紙Ｐを収納するように構成することも可能である。ここで「ポップアップする高さ」とは、最上層の家庭用薄葉紙Ｐのうち起立した部分の上下方向の長さ、すなわち薄葉紙積層体Ｑの上面から最上層の家庭用薄葉紙Ｐのうち取出口１１から突出した部分の上端までの長さのことである。
薄葉紙積層体における折り方が全体にわたって同一である場合、家庭用薄葉紙Ｐの飛び出し長さ（取出口１１から突出した部分の長さ）は、使いはじめでは長く、使い終わりに近づくにつれて短くなる。
ポップアップする高さは、折り幅により決定される。したがって、使いはじめではポップアップする高さが短く、使い終わりに近づくにつれて長くなるような折り方が可能である。このような折り方をした薄葉紙積層体Ｑを用いれば、家庭用薄葉紙Ｐの飛び出し長さを使いはじめから使い終わりにかけてほぼ一定にすることができるので、取出口１１から突出した部分が収納空間部Ｓ内に落ち込む、取出口１１から突出した部分が上蓋２０の開閉時に上蓋２０に噛み込まれる等の発生を抑制することができる。
【００８９】
また、本発明は、家庭用薄葉紙を収納するためのケース体の上面に、その開放端を上下方向に回動させることで開閉を行う蓋体を設けた構成にも、適用可能である。
【符号の説明】
【００９０】
１  家庭用薄葉紙収納容器
１０  容器本体（ケース体）
１１  取出口
１４  ケース側パッキン（枠部材）
１４ａ  延出部
１４ｂ  切欠部
１４ｃ  角部
１４ｄ  スリット
２０  上蓋（蓋体）
３０  シャーシ（ケース体）
Ｐ  家庭用薄葉紙
Ｔ  包装体
Ｔ１  開口
Ｙ  突起部
【図１】
0005990413.tif 000002
【図２】
0005990413.tif 000003
【図３】
0005990413.tif 000004
【図４】
0005990413.tif 000005
【図５】
0005990413.tif 000006
【図６】
0005990413.tif 000007
【図７】
0005990413.tif 000008
【図８】
0005990413.tif 000009
【図９】
0005990413.tif 000010
【図１０】
0005990413.tif 000011
【図１１】
0005990413.tif 000012
【図１２】
0005990413.tif 000013
【図１３】
0005990413.tif 000014
【図１４】
0005990413.tif 000015
【図１５】
0005990413.tif 000016
【図１６】
0005990413.tif 000017
【図１７】
0005990413.tif 000018
【図１８】
0005990413.tif 000019